【事件の表示】
　平成１１年特許願第１０３４０８号「シート状フットスイッチ」拒絶査定に対する審判事件〔平成１２年１０月２０日出願公開、特開２０００−２９３２９２、請求項の数（８）〕について、次のとおり審決する。
【結　論】
　原査定を取り消す。
　本願の発明は、特許すべきものとする。
【理　由】
１．手続の経緯・本件出願の発明
　本願は、平成１１年４月９日の出願であって、その請求項１〜８に係る発明は、平成１２年２月２日付け及び平成１３年１月１５日付けの手続補正書によって補正された明細書及び図面の記載からみて、本願の特許請求の範囲の請求項１〜８に記載された次のとおりのものと認める。
　「【請求項１】　所定の面形状を有し、該面形状内を分割して形成される複数の領域の中央にホームポジションを備えるとともに、該ホームポジション周りの少なくとも１つ以上の領域にダンスゲームにおける踏み動作を検出可能な押圧スイッチを内装配置したシート状フットスイッチであって、上記面形状の一部をなし、最上層となるシート体の表面に少なくとも上記押圧スイッチを配置した領域に対して予め形成された複数条の溝からなる滑り止め手段を設け、該溝は上記シート体にホームポジションから各押圧スイッチの配置位置への方向に対して傾斜した方向に形成され、かつ上記踏み動作を確保しつつ滑りを防止するような浅溝形状を有するものとしたことを特徴とするシート状フットスイッチ。
　　【請求項２】　上記溝は、上記押圧スイッチの配置された領域内にのみ設けられ、かつ上記溝の形成方向は各領域ごとにそれぞれ異なっていることを特徴とする請求項１記載のシート状フットスイッチ。
　　【請求項３】　上記溝の形成方向は略４５°傾斜した方向であることを特徴とする請求項１又は２記載のシート状フットスイッチ。
　　【請求項４】　上記溝の形成方向は略＋４５°と略−４５°の両方に傾斜した方向であることを特徴とする請求項１又は２記載のシート状フットスイッチ。
　　【請求項５】　上記所定の面形状は四角形状であり、上記溝が該四角形状の対角線方向に平行に形成されていることを特徴とする請求項１又は２記載のシート状フットスイッチ。
　　【請求項６】　上記四角形状を３×３の領域に分割し、中央の領域に上記ホームポジションが配置されるとともに、該ホームポジションから見て縦方向の両側の領域と横方向の両側の領域に各押圧スイッチが配置されていることを特徴とする請求項５記載のシート状フットスイッチ。
　　【請求項７】　上記シート体をエチレン−メチル−メタアクリレート製のものとしたことを特徴とする請求項１乃至６のいずれかに記載のシート状フットスイッチ。
　　【請求項８】　上記シート体にホームポジションを備え、このホームポジションの周りの少なくとも前後方向あるいは左右方向に押圧スイッチを備えて環状に配置したものであることを特徴とする請求項１記載のシート状フットスイッチ。」
　
２．引用された刊行物の発明
２−１．原査定の拒絶の理由に引用された「特開平９−３２６２１６号公報」（以下、「引用例１」という）には、以下のような事項が記載されている。
　「【発明の属する技術分野】
　この発明は、例えば光ディスクに記録された情報を画像端末に再生する機器に、複数のデータを入力するためのマットスイッチの構造に関する。」（段落番号【０００１】）、
　「このマットスイッチ１は、コンピュータシステムを搭載してＣＤ−ＲＯＭ等の光ディスクに記録された音声および画像情報を伴うソフトウエアを再生するマルチメディア機器に接続されるもので、図１の斜視図および図２の平面図に示すように、コントロールボックス３とともにコントローラ５を構成する。コントロールボックス３には、マルチメディア機器に接続するためのＡＤＢ（アップル・ディスクトップ・バスのこと、以下同じ）ケーブル７が設けられる。」（段落番号【００１１】）、
　「平面図においてマットスイッチ１の中央には、踏んでもスイッチ動作をしない不感領域９があり、この不感領域９を中心として四方に４つのスイッチ領域１１、１３、１５、１７が存在する。これらのスイッチ領域１１、１３、１５、１７は略扇状を有する。また、別の端の場所に五番目の丸いスイッチ領域１９が設けられる。」（段落番号【００１２】）、
　「マットスイッチの５つのスイッチ領域（図中、ＫＥＹ１〜５として示す）１１、１３、１５、１７、１９に対応する５つのデータ信号がデータ信号線４９によりパラレル信号としてＣＰＵ５５の各入力ポート（図中、ＳＷ１〜５として示す）に入力され、ＣＰＵ５５においてクロック発生器５７からのクロック信号を基にシリアル信号に変換され、ＡＤＢ通信インターフェース回路５９を介して、ＡＤＢケーブル部７に出力される。」（段落番号【００２８】）、
　「ＣＰＵ５５に５つのデータ信号が入力されると、ＣＰＵ５５に内蔵されたプログラムによりスキャンがなされ、各データ信号が検出される。検出が行われると、各データ信号はコードに変換され、ＡＤＢ通信処理され、ＡＤＢ通信インターフェース回路５９およびＡＤＢケーブル部７を介して、マルチメディア機器すなわちマルチメディアプレーヤ（ピピンやサターンなど）６１やＭＡＣ（アップル社のコンピュータ）等のコンピュータ本体６３へコードを送信する（図１０及び図１１）。そして、マルチメディアプレーヤ６１やコンピュータ本体６３に接続された画像端末（テレビ画面を利用したもの６５や専用のディスプレイ装置６７）の画像や音声をインターラクティブに操作することができる。」（段落番号【００３０】）。
２−２．原査定の拒絶の理由に引用された「特開平８−２７０１６７号公報」（以下、「引用例２」という）には、以下のような事項が記載されている。
　「本発明は、上述の事実に鑑みてなされたものであって、その目的とするところは、外観が良くて、しかも、すべりを確実に防止することができる階段の踏み板およびその製造方法を提供することにある。」（段落番号【０００４】）、
　「【課題を解決するための手段】
　本発明の請求項１に係る階段の踏み板は、踏み板本体（１）、この踏み板本体（１）の表面上に配置された熱可塑性樹脂製のすべり止め条材（２）、および、このすべり止め条材（２）と上記踏み板本体（１）の表面全面を覆う熱可塑性樹脂製のシート（３）を備え、さらに、このシート（３）と上記すべり止め条材（２）が上記踏み板本体（１）の表面上に熱圧融着されて凹凸模様を有するすべり止め層（４）が形成されてなることを特徴とする。
　本発明の請求項２に係る階段の踏み板は、上記すべり止め条材（２）を上記踏み板本体（１）の表面上に平行に複数本配置したことを特徴とする。
　本発明の請求項３に係る階段の踏み板は、上記すべり止め条材（２）を上記踏み板本体（１）の表面上に交差するように複数本配置したことを特徴とする。
　本発明の請求項４に係る階段の踏み板は、上記すべり止め条材（２）を上記踏み板本体（１）の前端縁側に寄せて同踏み板本体（１）の表面上に複数本配置したことを特徴とする。
　本発明の請求項５に係る階段の踏み板の製造方法は、踏み板本体（１）の表面上に熱可塑性樹脂製のすべり止め条材（２）を配置して、このすべり止め条材（２）と上記踏み板本体（１）の表面全面を覆うようにして熱可塑性樹脂製のシート（３）をかぶせて、このシート（３）と上記すべり止め条材（２）とを上記踏み板本体（１）の表面上に熱圧融着させて凹凸模様を有するすべり止め層（４）を形成することを特徴とする。」（段落番号【０００５】〜段落番号【０００９】）、
　「【作用】
　本発明の請求項１に係る階段の踏み板によると、踏み板本体（１）、この踏み板本体（１）の表面上に配置された熱可塑性樹脂製のすべり止め条材（２）、および、このすべり止め条材（２）と上記踏み板本体（１）の表面全面を覆う熱可塑性樹脂製のシート（３）を備え、さらに、このシート（３）と上記すべり止め条材（２）が上記踏み板本体（１）の表面上に熱圧融着されて凹凸模様を有するすべり止め層（４）が形成されてなるので、熱可塑性樹脂製のすべり止め条材（２）と熱可塑性樹脂製のシート（３）とが踏み板本体（１）の表面上において熱圧されることによってすべり止め条材（２）とシート（３）は、それぞれ融けだして、踏み板本体（１）の表面上に付着し、なだらかな凹凸感を与えつつ、踏み板本体（１）と一体感をもたせることができて、剥がれがたいすべり止め層（４）が形成される。
　すなわち、すべり止め層（４）は、外観が良くて、しかも、熱圧融着された凹凸模様によって、剥がれにくく、すべりを確実に防止することができる。」（段落番号【００１０】〜段落番号【００１１】）、
　そして、「すべり止め条材（２）を上記踏み板本体（１）の表面上に交差するように複数本配置」するという構成は、図２を参照すれば、すべり止め条材を踏み板本体に対して傾斜した方向に複数本設け、更にそれと直交するようにすべり止め状材を複数本設けた構成と認められる。
２−３．原査定の拒絶の理由に引用された「実願昭６１−１６９４３８号（実開昭６３−７４１７８号）のマイクロフィルム」（以下、「引用例３」という）には、以下のような事項が記載されている。
　「［産業上の利用分野］
　本考案は複数のスイッチ素子を具えた軟質のマット上のテレビゲーム用信号発生装置に関し、特に足踏みによって上記スイッチ操作を行う様にした構造において、スイッチ素子を備えた段部を形成することにより、使用者がディスプレイ等に注目しながら足でスイッチ操作を行える様にした構造を提供するものである。」（第１頁下から第６行目〜第２頁第２行目）、
　「［問題を解決するための手段］
 …… 上部シートと、下部シートと、これらのシート間のほぼ全面に亘って挟設された緩衝部材と、この緩衝部材の所望の位置に複数配設されたスイッチ素子と、これらのスイッチ素子に接続されたリード部材とからなるマットスイッチにおいて、前記緩衝部材のうちスイッチ素子に対応する部分に段部を形成したことを特徴としている。」（第３頁第１〜９行目）、
　「［作用］
　以上の様に構成された本考案は、緩衝部材のうちスイッチ素子に対応する部分に段部を形成したので、足の感覚でスイッチ位置を把握することができ、使用者がディスプレイ等を見ながらマットスイッチを正確に踏むことができる。」（第３頁１０〜１５行目）、
　「本考案の一実施例を図面に基づいて説明すると、１はマットスイッチ本体であり、上部シート２と下部シート３と緩衝部材４からなっている。上部シート２と下部シート３とは、それぞれ塩化ビニール等の柔軟な素材で形成されており、緩衝部材を挟んで溶着されている。なお、上部シート２と下部シート３とが緩衝部材４を包覆して一体形成してもよい。４はウレタンフォーム等の柔軟な絶縁素材により形成された緩衝部材であって、所望の位置に複数の顕著な段部５、５…が形成されている。段部５内には、上部シート２と下部シート３間の押圧によって作動するスイッチ素子６が内蔵されている。」（第３頁１７行目〜第４頁９行目）。
　
３．対比・判断
３−１．請求項１に係る発明
　ここで請求項１に係る発明と引用例１のものとを対比する。　
　引用例１記載の「マットスイッチ」は請求項１に係る発明の「シート状フットスイッチ」に相当し、引用例１の段落番号【００１２】の「平面図においてマットスイッチ１の中央には、踏んでもスイッチ動作をしない不感領域９があり、この不感領域９を中心として四方に４つのスイッチ領域１１、１３、１５、１７が存在する。これらのスイッチ領域１１、１３、１５、１７は略扇状を有する」なる記載からして、引用例１の「不感領域」は請求項１に係る発明の「ホームポジション」に相当すると認められるので、引用例１には、「所定の面形状を有し、該面形状内を分割して形成される複数の領域の中央にホームポジションを備えるとともに、該ホームポジション周りの少なくとも複数の領域に踏み動作を検出可能な押圧スイッチを内装配置した」マットスイッチが記載されている。
　そうすると引用例１記載のものと請求項１に係る発明とは、
　所定の面形状を有し、該面形状内を分割して形成される複数の領域の中央にホームポジションを備えるとともに、該ホームポジション周りの少なくとも複数の領域に踏み動作を検出可能な押圧スイッチを内装配置したシート状フットスイッチ
　で、一致し下記の点で相違している。
（１）シート状フットスイッチの踏み動作が、請求項１に係る発明が「ダンスゲーム」における踏み動作なのに対し、引用例１のものにはダンスゲームに用いるようにすることは示唆されていない点。
（２）請求項１に係る発明が、面形状の一部をなし、最上層となるシート体の表面に少なくとも押圧スイッチを配置した領域に対して予め形成された複数条の溝からなる滑り止め手段を設け、該溝は上記シート体にホームポジションから各押圧スイッチの配置位置への方向に対して傾斜した方向に形成され、かつ上記踏み動作を確保しつつ滑りを防止するような浅溝形状を有するシート状フットスイッチなのに対し、引用例１のものにはそのような構成が示されていない点。
　相違点について検討する。
　（１）引用例１に記載されたマットスイッチも、踏み動作でスイッチをオンさせるものであり、踏み動作を行うダンスゲームに用いるようにすることは、当業者が適宜なし得ることと認められる。
　（２）引用例２には、階段の踏み板の滑り止めとして、踏み板本体の表面上に熱可塑性樹脂製のすべり止め条材を配置して、このすべり止め条材と上記踏み板本体の表面全面を覆うようにして熱可塑性樹脂製のシートをかぶせて、このシートと上記すべり止め条材とを上記踏み板本体の表面上に熱圧融着させて凹凸模様を有するすべり止め層を形成すること、その際にすべり止め条材を踏み板本体の表面に交差するようにすることが記載されているものの、プレーヤが踏み動作時にシート表面で滑り、あるいは滑って転倒してしまうことを防止でき、したがってプレーヤ等はシート体の表面の押圧スイッチを配置した領域を踏む動作を行うことにより、スイッチ操作を確実に行うことができるようにするために、「最上層となるシート体の表面に少なくとも押圧スイッチを配置した領域に対して予め形成された複数条の溝」を形成し、「該溝は上記シート体にホームポジションから各押圧スイッチの配置位置への方向に対して傾斜した方向に形成され」、かつ「踏み動作を確保しつつ滑りを防止するような浅溝形状」を形成するような構成は、引用例１記載のものに引用例２記載のものを適用しても構成することができるとは認められない。また引用例３の記載のものにもこのような構成が示唆されているとは認められない。
　したがって、請求項１に係る発明は、引用例１〜３に記載された発明から容易に発明をすることができたものとすることはできない。
３−２．請求項２〜８に係る発明
　本件請求項２〜８に係る発明は、本件請求項１に係る発明を直接的もしくは間接的に引用しており、請求項１に係る発明の構成要件を全て含み、上記したように本件請求項１に係る発明が引用例１〜３に記載された技術事項に基づいて当業者が容易に発明できたものでない以上、引用例１〜３に記載された技術事項に基づいて当業者が容易に発明できたものではない。　　
　
４．むすび
　以上のとおりであるから、本件請求項１〜８の係る発明は、刊行物１〜３に記載された発明に基づいて当業者が容易に発明をすることができたものとはいえないから、本願発明が特許法第２９条第２項に規定する要件を満たしていないとした原査定の判断は妥当ではない。
　また、他に本願を拒絶すべき理由を発見しない。
　よって、結論のとおり審決する。